(57)【要約】【課題】内筒部材の切り割り溝を正対面以外の位置に２本形成し、皿部材の係合ピンを内筒部材の切り割り溝と対応する位置に２本形成することで、向きを逆にセットしてしまうことを防止とする。【解決手段】下部に軸心方向の切り割り溝が形成され上端開口面が傾斜面に形成された筒状の内筒部材と、内部に螺旋溝が形成され前記内筒部材の切り割り溝が形成された部位を回動可能ではあるが抜け出し不能に覆うラセン部材と、上端面が内筒部材の上端開口面と同方向の傾斜面に形成され内筒部材内に上下移動可能に形成された棒状化粧品を保持する皿部材と、内筒部材の切り割り溝及びラセン部材の螺旋溝と係合する皿部材に形成された係合ピンと、ラセン部材の外周を覆う袴部材とから構成される口紅などの化粧品収納容器において、内筒部材の切り割り溝を正対面以外の位置に２本形成し、皿部材の係合ピンを内筒部材の切り割り溝と対応する位置に２本形成する。【選択図】図１
2005046288.tif 000002
【特許請求の範囲】
【請求項１】
下部に軸心方向の切り割り溝が形成され上端開口面が傾斜面に形成された筒状の内筒部材と、内部に螺旋溝が形成され前記内筒部材の切り割り溝が形成された部位を回動可能ではあるが抜け出し不能に覆うラセン部材と、上端面が内筒部材の上端開口面と同方向の傾斜面に形成され内筒部材内に上下移動可能に形成された棒状化粧品を保持する皿部材と、内筒部材の切り割り溝及びラセン部材の螺旋溝と係合する皿部材に形成された係合ピンと、上部に蓋嵌合部が形成されラセン部材の外周を覆う袴部材と、袴部材に形成された蓋嵌合部と着脱自在に嵌合する蓋とから構成される口紅などの化粧品収納容器において、内筒部材の切り割り溝を正対面以外の位置に２本形成し、皿部材の係合ピンを内筒部材の切り割り溝と対応する位置に２本形成したことを特徴とする口紅などの化粧品収納容器。
【請求項２】
下部に軸心方向の切り割り溝が形成され上端開口面が傾斜面に形成された筒状の内筒部材と、内部に螺旋溝が形成され前記内筒部材の切り割り溝が形成された部位を回動可能ではあるが抜け出し不能に覆うラセン部材と、上端面が内筒部材の上端開口面と同方向の傾斜面に形成され内筒部材内に上下移動可能に形成された棒状化粧品を保持する皿部材と、内筒部材の切り割り溝及びラセン部材の螺旋溝と係合する皿部材に形成された係合ピンと、上部に蓋嵌合部が形成されラセン部材の外周を覆う袴部材と、袴部材に形成された蓋嵌合部と着脱自在に嵌合する蓋とから構成される口紅などの化粧品収納容器において、内筒部材の切り割り溝を溝幅の異なる幅寸法に２本形成し、皿部材の係合ピンを内筒部材の切り割り溝とそれぞれ対応する幅寸法に２本形成したことを特徴とする口紅などの化粧品収納容器。
【発明の詳細な説明】
【技術分野】
【０００１】
本発明は、口紅などの棒状化粧品を収納する収納容器で、なかでも内筒部材の上端開口面が傾斜面に形成された口紅などの化粧品収納容器に関するものである。
【背景技術】
【０００２】
従来の口紅などの化粧品収納容器は下部に軸心方向の切り割り溝が２本形成され上端開口部が傾斜面に形成された筒状の内筒部材と、内部に螺旋溝が形成され前記内筒部材の切り割り溝が形成された部位を回動可能ではあるが抜け出し不能に覆うラセン部材と、上端面が内筒部材の上端開口部と同方向の傾斜面に形成され内筒部材内に上下移動可能に形成された棒状化粧品を保持する皿部材と、内筒部材の切り割り溝及びラセン部材の螺旋溝と係合する皿部材に２本形成された係合ピンと、上部に蓋嵌合部が形成されラセン部材の外周を覆う袴部材と、袴部材に形成された蓋嵌合部と着脱自在に嵌合する蓋とで構成されていた。
【０００３】
このように内筒部材の上端開口部が傾斜面に形成されるのは、収納容器の外観デザインを良くし、さらに口紅を使用する際に唇に塗りやすくするためであり、また皿部材の上端面を内筒部材の上端開口部と同方向の傾斜面にするのは容器に充填した口紅の破損を防止するためである。さらに内筒部材に形成された切り割り溝と、皿部材に形成された係合ピンをそれぞれ１本ではなく２本とするのは、収納された口紅などの化粧品の上下移動を安定させ、スムーズな繰り出しトルクを得るためである。
【０００４】
しかし、このように構成された口紅などの化粧品収納容器は、内筒部材と皿部材の上端面がそれぞれ傾斜面に形成されているので、容器を組み立てる際にはこの２部品の向きを合わせる必要があるが、従来の口紅などの化粧品収納容器では内筒部材と皿部材を逆向きにセットしてしまうことを防止する手段がなく、そのためそれぞれの部材を目であるいはジグを使用してその向きを確認してからセットしていたので、組立が面倒で手間がかかるというという欠点があった。
【０００５】
さらに、その両部材の向きを逆にセットしてしまった場合でもその発見が難しく、結果として口紅の破損を防止することができない化粧品収納容器として出荷してしまうことがあった。
【０００６】
この改善策として、特開平１０−１９２０４７号公報に記載される発明もあるが、これであっても案内筒の位置決めスリットを加工するのに手間がかかると共に、仮に向きを逆にセットしてしまった場合では係止突起が位置決めスリットに入らず位置決めスリットの正対面の案内筒の内面を圧接することになるが、それであっても案内筒及び受け筒体は薄肉であるので両部材ともたわみやすく、化粧品収納容器の作動、外観に何ら変化が生じないのでその検出が困難なものである。
【特許文献１】特開平１０−１９２０４７号公報
【発明の開示】
【発明が解決しようとする課題】
【０００７】
本発明は以上のような従来の欠点に鑑み、容器を組み立てる際に内筒部材と皿部材の２部品の向きをそれぞれ目で確認をして合わせる必要がなく、さらに向きを逆にセットしてしまうことのない化粧品収納容器を提供することを目的としている。
【０００８】
本発明の前記ならびにそのほかの目的と新規な特徴は次の説明を添付図面と照らし合わせて読むと、より完全に明らかになるであろう。ただし、図面はもっぱら解説のためのものであって、本発明の範囲を限定するものではない。
【課題を解決するための手段】
【０００９】
上記課題を解決するため、本発明は、内筒部材と皿部材の向きを逆にセットしてしまって口紅の破損を防止することができない化粧品収納容器として出荷してしまうことを防止するため、内筒部材と皿部材の向きを逆にセットすることのできない化粧品収納容器とすることを最も主要な特徴とする。
【発明の効果】
【００１０】
本発明は以下に記載されるような効果を奏する。
【００１１】
（１）容器を組み立てる際に内筒部材と皿部材の２部品の向きをそれぞれ目で、あるいはジグを使用して確認をして合わせる必要がなく、組立が面倒で手間がかかるということがない。さらに特開平１０−１９２０４７号公報に記載される発明のように、案内筒の位置決めスリットを加工する手間が必要ない。
【００１２】
（２）内筒部材と皿部材の向きを逆にセットすることができないので、口紅の破損を確実に防止する化粧品収納容器として出荷することができる。
【発明を実施するための最良の形態】
【００１３】
容器を組み立てる際に内筒部材と皿部材の２部品の向きをそれぞれ目で確認をして合わせる必要がなく、さらに向きを逆にセットしてしまうことのない化粧品収納容器を提供するという目的を、内筒部材の切り割り溝を正対面以外の位置に２本形成し、皿部材の係合ピンを内筒部材の切り割り溝と対応する位置に２本形成したことで実現した。
さらに同じ目的を内筒部材の切り割り溝を溝幅の異なる寸法に２本形成し、皿部材の係合ピンを内筒部材の切り割り溝と対応する寸法に２本形成したことで実現した。
【実施例１】
【００１４】
以下、図面に示す実施例により本発明を詳細に説明する。
図１ないし図６に示す発明の第１の実施例において、１は上下が開口された筒状の内筒部材で、この内筒部材１の上端開口面は傾斜面に形成され、下部には上端の傾斜面と任意の角度を持った軸心方向の切り割り溝２が少なくとも２本形成されている。
【００１５】
この２本の切り割り溝２は内筒部材１の正対面に形成されているのではなく、図６に示すように正対面から角度θ１２だけ離れた位置に形成されている。この角度θ１２の角度は皿部材７の係合ピン８が内筒部材１と逆方向では内筒部材１内に進入できない程度の角度があればよいが、５度から６０度の範囲にすることが望ましく、それより小さい角度では効果が出にくく、またそれより大きい角度になると加工がしづらくなるものである。
【００１６】
３は前記内筒部材１の切り割り溝２が形成された部位を回動可能ではあるが内筒部材１を抜け出し不能に覆う筒状に形成されたラセン部材で、このラセン部材３の内部には螺旋溝４が形成されている。この内筒部材１にラセン部材３を抜け出し不能とする方法にはいろいろな手段が考案されているがいずれの手段でも良く、図の説明では内筒部材１のほぼ中央部に環状に形成した膨出部５をラセン部材３の上部に形成した凹溝６でくわえ込むことで内筒部材１を抜け出し不能とする手段について説明している。
【００１７】
７は上端面が前記内筒部材１の上端開口面と同方向の傾斜面に形成され内筒部材１内に上下移動可能に形成された化粧料を収納する皿部材で、この皿部材７の下部外面には前記内筒部材１の切り割り溝２及びラセン部材３の螺旋溝４と係合する係合ピン８が内筒部材１の切り割り溝２と対応する位置に切り割り溝２の幅よりも若干小幅に少なくとも２本形成され、内筒部材１とラセン部材３を回動させることで内筒部材１内で皿部材７を上下移動可能としている。
【００１８】
この皿部材７の係合ピン８は内筒部材１の切り割り溝２と同じに正対面に形成されているのではなく中心から角度θ１２の角度をもって形成されているものであり、内筒部材１に皿部材７をセットした際には皿部材７の上端の傾斜面が内筒部材１の上端の傾斜面と同方向になる位置に形成されている。
【００１９】
９はラセン部材３の外周を抜け出し不能でさらに回動不能に覆うハカマ部材である。このハカマ部材９は図の説明ではハカマ部材本体１０とその上部に固定された蓋嵌合部が形成された嵌合部材本体１１より構成されるものとしてあるが、これに限らずハカマ部材本体１０と嵌合部材本体１１が１部品で形成されたものであっても良い。
【００２０】
１３はハカマ部材９に形成された蓋嵌合部と着脱自在に嵌合する蓋である。
【００２１】
このように構成された化粧品収納容器２０は、内筒部材１と皿部材７をセットする際には内筒部材１の２本の切り割り溝２及び皿部材７の２本の係合ピン８はそれぞれ正対面でなく角度θ１２だけの角度があるので、逆方向にセットすることができず確実に逆セットを防止することができる。
【実施例２】
【００２２】
次に本発明の異なる実施例につき説明する。なお、これらの説明にあたって前記発明の第１の実施例と同一構成部分には同一符号を付して重複する説明を省略する。
【００２３】
図７ないし図１２に示す発明の第２の実施例において、前記発明の第１の実施例と主に異なる点は、正対面に形成された内筒部材１Ａの２本の切り割り溝２Ａを溝幅の異なる寸法にし、広幅切り割り溝２ＡＡと狭幅切り割り溝２ＡＢの２本を形成し、内筒部材１Ａに皿部材７Ａをセットした際には皿部材７Ａの上端の傾斜面が内筒部材１Ａの上端の傾斜面と同方向になるように、皿部材７Ａの係合ピン８Ａを内筒部材１Ａの切り割り溝２Ａとそれぞれ対応する幅寸法及び位置に広幅係合ピン８ＡＡと狭幅係合ピン８ＡＢの２本を形成したものである。
【００２４】
このように構成することにより切り割り溝２Ａは広幅と狭幅の２本ができ、係合ピン８Ａの幅も広幅と狭幅の２本ができる。その幅は狭幅切り割り溝２ＡＢよりも広幅係合ピン８ＡＡの幅を大きくし、狭幅切り割り溝２ＡＢ内に広幅係合ピン８ＡＡが進入できない寸法にすることで、それによって内筒部材１Ａと皿部材７Ａを逆方向にセットすることができず確実に逆セットを防止することができる。このように構成した化粧品収納容器２０Ａとしても良い。
【産業上の利用可能性】
【００２５】
内筒部材と皿部材の向きを逆にセットすることを防止でき、それによってリップクリーム、スティックアイシャドウなどの他の化粧品収納容器にも適用できる。
【図面の簡単な説明】
【００２６】
【図１】発明の断面説明図である。（実施例１）
【図２】発明の内筒部材と皿部材をセットした説明図である。（実施例１）
【図３】図２の背面図である。（実施例１）
【図４】発明の皿部材の説明図である。（実施例１）
【図５】図４の背面図である。（実施例１）
【図６】図２のＡ−Ａ断面図である。（実施例１）
【図７】発明の断面説明図である。（実施例２）
【図８】発明の内筒部材と皿部材をセットした説明図である。（実施例２）
【図９】図８の背面図である。（実施例２）
【図１０】発明の皿部材の説明図である。（実施例２）
【図１１】図１０の背面図である。（実施例２）
【図１２】図８のＡ−Ａ断面図である。（実施例２）
【符号の説明】
【００２７】
１、１Ａ    内筒部材
２、２Ａ、２ＡＡ、２ＡＢ    切り割り溝
３    ラセン部材
４    螺旋溝
５    膨出部
６    凹溝
７、７Ａ    皿部材
８、８Ａ、８ＡＡ、８ＡＢ    係合ピン
９    ハカマ部材
１０    ハカマ部材本体
１１    嵌合部材本体
１２    角度θ
１３    蓋
２０、２０Ａ    化粧品収納容器
【図１】
2005046288.tif 000003
【図２】
2005046288.tif 000004
【図３】
2005046288.tif 000005
【図４】
2005046288.tif 000006
【図５】
2005046288.tif 000007
【図６】
2005046288.tif 000008
【図７】
2005046288.tif 000009
【図８】
2005046288.tif 000010
【図９】
2005046288.tif 000011
【図１０】
2005046288.tif 000012
【図１１】
2005046288.tif 000013
【図１２】
2005046288.tif 000014